(57)【要約】【課題】対人間でコミュニケーションをとりながら、簡単な操作でかつ正確に相性を測定する相性診断シートを提供する。【解決手段】粘着剤により皮膚に貼付される透明フィルム１２と、透明フィルム１２の粘着剤２４側の面に設けられ塩化コバルト紙２２と、透明フィルム１２の粘着剤２４と反対側の面に印刷された色見本１８を有する。色見本１８は、塩化コバルト紙２２が吸湿により呈色したピンク色に設けられている。塩化コバルト紙２２の外側には、不織布２３が設けられている。色見本１８と表示部２０は、塩化コバルト紙２２が吸湿してピンク色に呈色したときに一つの絵柄部を形成する。【選択図】図１
0003136988.tif 000002
【実用新案登録請求の範囲】
【請求項１】
粘着剤により皮膚に貼付される透明フィルムと、前記透明フィルムの粘着剤側の面に設けられ塩化コバルトを吸着させた保持体と、前記透明フィルムの粘着剤と反対側の面に形成された色見本が設けられ、前記塩化コバルトの呈色を透過して視認する表示部が前記色見本に隣接して設けられ、前記色見本は前記塩化コバルトが吸湿により呈色したピンク色に形成され、前記表示部と前記色見本は、前記塩化コバルトが吸湿してピンク色に呈色したときに一つの絵柄部を形成することを特徴とする相性診断シート。
【請求項２】
前記保持体の外側には、不織布が設けられていることを特徴とする請求項１記載の相性診断シート。
【請求項３】
前記色見本と前記表示部で形成される絵柄部はハート形であり、前記ハート形の中心には分割線が上下方向に設けられて前記ハート形を左右の２区分に分割し、分割された一方が前記色見本であり、他方が前記表示部であることを特徴とする請求項１記載の相性診断シート。
【考案の詳細な説明】
【技術分野】
【０００１】
この考案は、人間同士の相性度を測定する相性診断シートに関する。
【背景技術】
【０００２】
従来、対人間の相性、特に男女間の相性や、ある被験者が特定の対象者に対して心理的に好ましいと感じるか否かについての知見は、人間関係の円滑化や交際相手および結婚相手の選択の際に有用な情報となり、相性診断をすることにより、有用な情報を得ることができる。相性を診断するための方法は、例えば以下の引用文献に示されている。
【０００３】
特許文献１に開示されている相性診断方法は、唾液中のクロモグラニンＡ濃度または総量を、対象者に被験者を接触させる前後で測定し、クロモグラニンＡ濃度または総量が増加した場合に被験者と対象者の相性が良いと診断するものである。特許文献２に開示されている相性度測定方法及び装置は、対面した二人の被験者の心拍や脳波等の生理信号について相性度を算出するものである。
【特許文献１】特開２００４−６９３２２号公報
【特許文献２】特開平７−２１１４６号公報
【考案の開示】
【考案が解決しようとする課題】
【０００４】
上記の特許文献１の場合、クロモグラニンＡ濃度または総量の定量には専用の装置が必要であり、分析には長時間を有するものであった。また、測定装置は高価であり、その使用は病院や検査機関等に限定され、家庭や飲食店では手軽に行うことはできなかった。特許文献２の場合も、心拍や脳波等の生理信号を測定する測定装置と、測定された値から相性度を算出する相性度算出処理プログラムが必要であり、手軽に行うことができなかった。
【０００５】
この考案は、上記従来の技術の問題点に鑑みてなされたものであり、対人間でコミュニケーションをとりながら、簡単な操作で相性を測定する相性診断シートを提供することを目的とする。
【課題を解決するための手段】
【０００６】
本考案は、粘着剤により皮膚に貼付される透明フィルムと、前記透明フィルムの粘着剤側の面に設けられ塩化コバルトを吸着させた保持体と、前記透明フィルムの粘着剤と反対側の面に形成された色見本が設けられ、前記塩化コバルトの呈色を透過して視認する表示部が前記色見本に隣接して設けられ、前記色見本は前記塩化コバルトが吸湿により呈色したピンク色に形成され、前記表示部と前記色見本は、前記塩化コバルトが吸湿してピンク色に呈色したときに一つの絵柄部を形成する相性診断シートである。前記保持体はろ紙等の吸湿性素材で作られている。前記保持体の外側には、不織布が設けられているものである。
【０００７】
前記色見本と前記表示部で形成される絵柄部はハート形であり、前記ハート形の中心には分割線が上下方向に設けられて前記ハート形を左右の２区分に分割し、分割された一方が前記色見本であり、他方が前記表示部である。前記絵柄部は星形や円形等でもよい。
【考案の効果】
【０００８】
本考案の相性診断シートは、絆創膏状であり身体に貼付して色の変化を見るという簡単な方法で、相性度を判断することができる。試験をする場所や環境を限定せず、安価で手軽に試験することができ、試験をする相手とコミュニケーションをとることもできる。
【考案を実施するための最良の形態】
【０００９】
以下、この考案の実施形態について図面に基づいて説明する。図１〜図３はこの考案の一実施形態を示すもので、この実施形態の相性診断シート１０は、粘着フィルムとなる透明フィルム１２が設けられ、その素材は柔軟性を有し透明な合成樹脂で作られている。例えば、ポリオレフィン、ポリプロピレン、ポリエステル、ポリ塩化ビニル、ポリ塩化ビニリデン、ポリエチレン、ナイロン、ウレタン等が使用される。厚さは、２０〜１００μｍであり、好ましくは５０〜７５μｍである。透明フィルム１２は、長丸形に切断されている。
【００１０】
透明フィルム１２の表面１２ａには、インキ層１３が印刷されている。インキ層１３の中央付近は絵柄部１４が印刷され、絵柄部１４の周囲は不透明な無地等で印刷されている。また、絵柄部１４の内側はインキ層１３が無いか透明なインキが印刷されている。絵柄部１４はハート形に形成され、透明フィルム１２の長手方向にハート形の横方向が一致している。絵柄部１４のハート形の中心には、分割線１６が上下方向に沿って設けられ、絵柄部１４のハート形を左右の２区分に分割し、分割された図面上での右部分は、後述する保持体である塩化コバルト紙２２が発色した際の色見本１８であり、色見本１８は塩化コバルトが完全に吸湿したときのピンク色である。塩化コバルト紙２２の外側には、不織布２３が設けられているものである。絵柄部１４の、分割線１６で区切られた図面上の左部分は、透明フィルム１２が透過して視認される表示部２０であり、表示部２０から後述する塩化コバルト紙２２の色を見ることができる。
【００１１】
透明フィルム１２の裏面１２ｂには、表示部２０を覆って塩化コバルト紙２２が設けられている。塩化コバルト紙２２は後述する粘着剤２４で透明フィルム１２裏面１２ｂに取り付けられている。塩化コバルト紙２２は、塩化コバルト水溶液をろ紙等の吸湿性シートに吸着させ乾燥させたものであり、塩化コバルトは無水塩では青色であり、吸湿するとピンク色に変化する。塩化コバルト紙１８は吸着水分量が３０μｇ／ｃｍ２／分〜５００μｇ／ｃｍ２／分の範囲で変色し、１００μｇ／ｃｍ２／分以下で青色に、５００μｇ／ｃｍ２／分以上で淡赤色となるように調整されている。２００μｇ／ｃｍ２／分〜４５０μｇ／ｃｍ２／分の範囲では、空色から白色更に淡ピンク色へ徐々に変色する。これにより、貼付時間を１分〜５分間とすれば、水分蒸発量は、３０μｇ／ｃｍ２／分から２５ｍｇ／ｃｍ２／分の範囲で測定が可能となる。健康な人は平常では発汗量が２０μｇ／ｃｍ２／分〜５０μｇ／ｃｍ２／分程度であるが、精神的刺激が高い状態では手の平からの発汗量は１５０〜３００μｇ／ｃｍ２／分に増加し、より短時間で塩化コバルト紙２２は青色からピンク色に変色する。
【００１２】
透明フィルム１２の裏面１２ｂには、表示部２０を避けて周囲を囲むように粘着剤２４が塗布され、表示部２０に一致する部分には開口部２６が設けられ、開口部２６内側に塩化コバルト紙２２が露出している。
【００１３】
相性診断シート１０は、透明フィルム１２と同形状またはそれよりも大きな剥離シート２８に貼り付けられ、相性診断シート１０の粘着剤２４の粘着力で剥離可能に取り付けられている。また、一枚の大きな剥離シート２８に、同形の相性診断シート１０が複数個貼り付けられてもよい。さらに、剥離シート２８は透明フィルム１２の半分の長さに形成された２枚からなり、透明フィルム１２の両端部から中心付近をそれぞれ覆って貼り付けられるものでもよい。２枚の剥離シート２８は透明フィルム１２の中心付近で端部同士が互いに重なり、剥離シート２８を剥がすときの手がかりとなる。そして、剥離シート２８が貼り付けられた相性診断シート１０は、樹脂フィルム等の袋に包装され、密封されている。
【００１４】
次に、この実施形態の相性診断シート１０の使用方法について説明する。まず、相性診断シート１０から剥離シート２８を剥がし、粘着剤２４を露出させる。そして、試験を行う被験者３０の手の平に貼り付ける。被験者３０の相性診断の相手となる対象者３２にも同様に手の平に貼り付ける。被験者３０と対象者３２は異性同士とし、被験者３０と対象者３２の、相性診断シート１０を貼った手の平同士を合わせるか握手し、所定時間、例えば１分間そのまま放置する。例えば被験者３０は男性で右手に貼り、対象者３２は女性で左手に貼り、試験を行う。このとき、手の平から発生する蒸発水分や汗を塩化コバルト紙２２が吸着して塩化コバルトの結晶構造が変化し、青色からピンク色に変化する。一分後に、表示部２０から塩化コバルト紙２２の色の変化を見て、塩化コバルト紙２２の色を色見本１８と比較し、蒸発水分や汗の量をチェックする。
【００１５】
刺激・興奮・好奇心・興味・愛情等の精神的な刺激があると交感神経の働きで手の平からの発汗量が増加することが知られている。交感神経の働きで、その他に血圧・脈拍の増加、血流の増大、皮膚表面温度の上昇、フェロモンの分泌などがある。相性診断シート１０は、手の平からの発汗量が増加することを利用して被験者３０の心理状態を判定するものである。被験者３０が対象者３２に興味や愛情を持っていると、交感神経の働きで手の平からの発汗量が増加して、相性診断シート１０の塩化コバルト紙２２がピンク色に呈色し、表示部２０がピンク色になり、色見本１８との分割線１６が見え難くなり色見本１８と表示部２０が一体化し、絵柄部１４のピンク色のハート形が形成される。これにより被験者３０が対象者３２に対して興味や愛情を持つことが判定される。被験者３０と対象者３２共に絵柄部１４がピンクの完全なハート形になれば両思いであり、いずれか一方だけならば片思い、両者ともハート形にならなければ互いに無関心であると判定する。
【００１６】
この実施形態の相性診断シート１０によれば、簡単な操作と短時間で、対人間の相性を調べることができ、場所や環境を選ばず、学校や職場、飲食店等で手軽に試験することができ、コミュニケーション用具として使用することができる。手の平に相性診断シート１０を貼付して、表示部２０の色の変化を色見本１８と比較して観察するだけなので、苦痛やストレスがなく取り扱いが容易である。表示部２０は色見本１８と隣接しているため、正確に色見本１８と比較してハート形になるか簡単に判定することができ、外観からはわかりにくい相性を比較的正確に測定することができる。また、相性診断シート１０は一回ごとに使い捨てであり、清潔で簡単である上、コストも安価であり、経済的に優れた方法である。また、被験者３０と対象者３２が手の平同士を合わせて試験するため、コミュニケーションをとることもできる。相対する男女が握手または手を合わせながら、それぞれの手の平からの発汗量を同時に測定することにより、興奮・刺激・愛情の度合いを調べることができる。男女が手をあわせる行為は一つのコミュニケーション行為であり、スキンシップを図ることができる。このときの発汗量から精神的刺激を調べて、２人の間の気持ちを測定することができる。
【００１７】
なお、この発明の相性診断シートは、前記実施形態の形態に限定されるものではなく、相性診断シートの形状や素材等適宜変更可能である。絵柄部の形状は適宜変更可能であり、ハート形以外に星形等でもよく、複数個設けてもよい。相性診断シートを貼る位置は、上記以外でもよい。
【図面の簡単な説明】
【００１８】
【図１】この考案の一実施形態の相性診断シートの正面図である。
【図２】図１のＡ−Ａ線断面図である。
【図３】この実施形態の相性診断シートの使用状態を示す正面図である。
【符号の説明】
【００１９】
１０  相性診断シート
１２  透明フィルム
１４  絵柄部
１６  分割線
１８  色見本
２０  表示部
２２  塩化コバルト紙
２３  不織布
２４  粘着剤
２８  剥離シート
３０  被験者
３２  対象者
【図１】
0003136988.tif 000003
【図２】
0003136988.tif 000004
【図３】
0003136988.tif 000005